(57)【要約】      （修正有）【課題】挟圧部材の閉口動作時の失敗を限りなく少なくすること、および動物が挟圧部材の閉口動作を回避して餌だけを取ることができない動物捕獲具を提供する。【解決手段】一対の立上部を有する基板部材１と、一対の立上部に開閉自在に取り付けられ、一対の円弧状部材からなる狭圧部材２と、狭圧部材が挿通される挿通孔を有し、押圧時に狭圧部材を開状態とし、非押圧時に狭圧部材を閉状態とする略Ｕ状の板バネ部材４と、餌取付部材５を有し、狭圧部材を閉状態で係止する係止機構と、を備えた動物捕獲具において、基板部材が固設される餌取防止部材を備え、餌取防止部材が、開状態にある狭圧部材が構成する円形の大部分を占める面積を少なくとも有することを特徴とする。【選択図】図１
0003199772.tif 000002
【実用新案登録請求の範囲】
【請求項１】
一対の立上部を有する基板部材と、
前記一対の立上部に開閉自在に取り付けられ、一対の円弧状部材からなる狭圧部材と、
前記狭圧部材が挿通される挿通孔を有し、押圧時に狭圧部材を開状態とし、非押圧時に狭圧部材を閉状態とする略Ｕ状の板バネ部材と、
餌取付部材を有し、前記狭圧部材を閉状態で係止する係止機構と、を備えた動物捕獲具において、
前記基板部材が固設される餌取防止部材を備え、
前記餌取防止部材が、開状態にある狭圧部材が構成する円形の大部分を占める面積を少なくとも有することを特徴とする動物捕獲具。
【請求項２】
前記餌取防止部材が、開状態にある狭圧部材が構成する円形の少なくとも７０％を占める面積を有することを特徴とする請求項１に記載の動物捕獲具。
【請求項３】
前記係止機構が、前記基板部材と交わるように配置された湾曲部材と、湾曲部材に可動に固設され、前記狭圧部材を閉状態で係止する係止部材と、を備え、
前記餌取防止部材の上面から湾曲部材の上面までの距離が、３ｃｍ以下であることを特徴とする請求項２に記載の動物捕獲具。
【請求項４】
前記狭圧部材の下端と前記餌取防止部材との距離が、４ｃｍ以下であることを特徴とする請求項２または３に記載の動物捕獲具。
【請求項５】
前記餌取付部材が、紐状部材を含んでなることを特徴とする請求項１ないし４のいずれかに記載の動物捕獲具。
【請求項６】
前記餌取防止部材が、透過視認性を有しない板状体からなることを特徴とする請求項１ないし５のいずれかに記載の動物捕獲具。
【請求項７】
サルを含む手で餌を掴むことができる動物用である請求項１ないし６のいずれかに記載の動物捕獲具。
【考案の詳細な説明】
【技術分野】
【０００１】
本考案は、例えばサル、アナグマ、オスイタチ、ノウサギ、キツネ、タヌキなどの野生動物を捕獲する際に用いられる動物捕獲具に関するものである。
【背景技術】
【０００２】
我が国で許可されている法定猟具の動物捕獲具として、くくりわな、箱罠、囲い罠(天井を持たない箱罠)、箱落とし（さん木を備えるもの）、筒型イタチ捕獲器などの各種の構造のものが知られている。
【０００３】
我が国では鳥獣の保護及び狩猟の適正化に関する法律（平成１９年改正）により、狩猟でのトラバサミの使用（イノシシ、ニホンジカ、ヒグマ、ツキノワグマ、イノシシ、及びニホンジカ以外の獣類の捕獲等をするためトラバサミを使用する方法）は環境大臣が禁止する猟法とされており、例外的に学術研究の目的、鳥獣による生活環境、農林水産業又は生態系に係る被害の防止の目的、特定鳥獣の数の調整の目的その他環境省令で定める目的で鳥獣の捕獲等又は鳥類の卵の採取等をしようとする者がこの猟法を用いるため環境大臣の捕獲許可を受けたときに限って使用できる。また、トラバサミ（鋸歯のあるもの又はわなを開いた状態における内径の最大長が１２ｃｍ以上のものが基準とされる）は人の生命又は身体に重大な危害を及ぼすおそれがある捕獲具を使用する危険猟法にも該当するため、上の学術研究の目的等によって捕獲する場合にも環境大臣の危険猟法の許可も必要となる。
【０００４】
上述の２００７年の法律改正により、狩猟におけるトラバサミの使用は全面禁止された。 ホームセンターなどでの販売も規制され、有害捕獲の場合に限り、行政の許可を得た上で捕獲具に標識を付けたもののみ許可されている。また、購入や使用に際し、捕獲許可証もしくは狩猟者登録証の取得と提示が必須となった。
【０００５】
トラバサミにあっては、立木、切株等に連結される基板部材に対向面間を挟圧部とする一対の半円弧状の挟圧部材を開閉自在に設け、この一対の挟圧部材を閉口挟圧動作させる略Ｕ状の板バネ部材を設け、基板部材に踏板部材を設け、踏板部材にラッチ部を設け、基板部材にラッチ部に係脱可能な係止部材を設けて構成されている。
【０００６】
しかして、一対の挟圧部材を板バネ部材のバネ圧力に抗して開口し、係止部材をラッチ部に係止することにより一対の挟圧部材を開口待機状態に保持し、動物が踏板部材を踏圧したとすると、係止部材はラッチ部から外れ、一対の挟圧部材は閉口動作し、この閉口動作により動物の足などが一対の挟圧部材の対向面からなる挟圧部により挟圧され、基板部材は立木、切株等に連結されているので、動物を捕獲することになる。
【０００７】
上記従来構造の場合、上記挟圧部である一対の挟圧部材の対向面は閉口時に相互に密着する構造となっており、このため、捕獲する動物の足等の挟圧部位に与えるダメージが大きすぎ、必要以上に挟圧することがあるという不都合を有している。そこで、これらの不都合を解決することを目的として、立木、切株等に連結される基板部材に対向面間を挟圧部とする一対の半円弧状の挟圧部材を開閉自在に設け、該一対の挟圧部材を閉口挟圧動作させる略Ｕ状の板バネ部材を設け、該基板部材に踏板部材を設け、該踏板部材にラッチ部を設け、該基板部材にラッチ部に係脱可能な係止部材を設けてなり、上記挟圧部となる上記一対の挟圧部材の対向面間に間隙部を形成可能な間隙形成部を設けてなることを特徴とする動物捕獲具が開発された（特許文献１）。
【先行技術文献】
【特許文献】
【０００８】
【特許文献１】実用新案登録第３１１４１６０号公報
【考案の開示】
【考案が解決しようとする課題】
【０００９】
特許文献１に記載された動物捕獲具は、動物捕獲具の中央の板に獲物の足が乗ると、ばね仕掛けによりその上で２つの半円ないし門型の金属板が合わさり、脚を強く挟み込むトラバサミがわなに掛かった動物に長時間にわたる苦痛を与えることなどの不都合を解決することを目的とするものである。しかしながら、動物捕獲具の中央の板（踏板部材）が動物捕獲具の設置面から浮いており、その浮いた距離分だけ、動物の手または足が一対の挟圧部材の閉口挟圧動作の範囲外に出るまでの時間が短くなり、捕獲の失敗例が多くなるという不都合があった。
【００１０】
また、特許文献１に記載された動物捕獲具は、踏板部材を踏まなくては挟圧部材の閉口挟圧動作が開始されないため、サルなどの手で餌を掴むことができる動物の捕獲には必ずしも適していないという課題があった。また、サルなどの動物が、挟圧部材が閉口動作しない下面側から挟圧部材が閉口動作を回避して、餌だけ採って逃げるという不都合もあった。
【００１１】
本考案はこれらの不都合を解決することを目的とするものであり、挟圧部材の閉口動作時の失敗を限りなく少なくすること、および動物が挟圧部材の閉口動作を回避して餌だけを取ることができない動物捕獲具を提供することにある。
【課題を解決するための手段】
【００１２】
第１の考案は、一対の立上部を有する基板部材と、前記一対の立上部に開閉自在に取り付けられ、閉状態で対向面間に間隙部を形成する一対の円弧状部材からなる狭圧部材と、前記狭圧部材が挿通される挿通孔を有し、押圧時に狭圧部材を開状態とし、非押圧時に狭圧部材を閉状態とする略Ｕ状の板バネ部材と、餌取付部材を有し、前記狭圧部材を開状態で係止する係止位置および前記狭圧部材を閉状態とする開放位置を有する係止機構と、を備えた動物捕獲具において、前記基板部材が固設される餌取り防止部材を備え、前記餌取防止部材が、開状態にある狭圧部材が構成する円形の大部分を占める面積を少なくとも有することを特徴とする動物捕獲具である。
【００１３】
第２の考案は、第１の考案において、前記餌取防止部材が、開状態にある狭圧部材が構成する円形の少なくとも７０％を占める面積を有することを特徴とする。
第３の考案は、第２の考案において、前記係止機構が、前記基板部材と交わるように配置された湾曲部材と、湾曲部材に可動に固設され、前記狭圧部材を閉状態で係止する係止部材と、を備え、前記餌取防止部材の上面から湾曲部材の上面までの距離が、３ｃｍ以下であることを特徴とする。
第４の考案は、第２または３の考案において、前記狭圧部材の下端と前記餌取防止部材との距離が、４ｃｍ以下であることを特徴とする。
第５の考案は、第１ないし４のいずれかの考案において、前記餌取付部材が、紐状部材を含んでなることを特徴とする。
【００１４】
第６の考案は、第１ないし５のいずれかの考案において、前記餌取防止部材が、透過視認性を有しない板状体からなることを特徴とする。
第７の考案は、第１ないし６のいずれかの考案において、サルを含む手で餌を掴むことができる動物用であることを特徴とする。
【考案の効果】
【００１５】
本考案によれば、餌取防止部材により動物が動物捕獲具の底面側から挟圧部材の閉口挟圧動作を回避して餌を取ることを防ぐことができる。また、一対の挟圧部材の閉口挟圧動作の範囲外に至るまでの距離を長くすることができるので、捕獲の成功率を高めることができる。
【図面の簡単な説明】
【００１６】
【図１】本考案の実施の第一形態例に係る動物捕獲具の閉口状態の全体斜視図である。
【図２】本考案の実施の第一形態例に係る動物捕獲具の閉口状態の全体斜視図である。
【図３】本考案の実施の第一形態例に係る動物捕獲具の閉口状態の部分断面図である。
【図４】本考案の実施の第一形態例に係る動物捕獲具の開状態の部分断面図である。
【図５】本考案の実施の第一形態例に係る動物捕獲具の閉口状態の全体上面図である。
【図６】本考案の実施の第一形態例に係る動物捕獲具の開状態の全体上面図である。
【図７】本考案の実施の第一形態例に係る動物捕獲具の開状態の全体下面図である。
【図８】本考案の実施の第三形態例に係る動物捕獲具の閉口状態の部分側面図である。
【考案を実施するための最良の形態】
【００１７】
図１ないし図９は本考案の実施形態例を示し、図１ないし図７は第一実施形態例に係る動物捕獲具、図８は第二実施形態例に係る動物捕獲具を示す図である。
【００１８】
［第一実施形態例］
［構成］
【００１９】
図１ないし図７を参照しながら、第一実施形態例に係る動物捕獲具を説明する。第一実施形態例に係る動物捕獲具は、基板部材１と、挟圧部材２と、餌取防止部材３と、板バネ部材４と、係止機構（５〜８）と、連繋部材９と、鎖体１０と、リング１１と、楔部材１２とを主な構成要素とする。
【００２０】
基板部材１は、挟圧部材２、板バネ部材４および湾曲部材６を取り付けるためのものであり、コの字形の板状部材である。基板部材１は、長方形板状の中央部１ａとその両側に立上部１ｂ・１ｂを有する。基板部材１の中央部１ａの長さは、挟圧部材２の側面形状の半円弧の直径と実質的に同一の大きさである。基板部材１の立上部１ｂ・１ｂの長さは、少なくとも板バネ部材４を押圧してたわませたときの高さを確保できる長さであり、例えば、１．５〜５ｃｍである。基板部材１の幅は、例えば、１〜５ｃｍである。基板部材１の立上部１ｂ・１ｂには、挟圧部材２・２を枢着するための枢着孔１ｃ・１ｃが形成されている。基板部材１の中央部１ａは、餌取防止部材３にネジ等の固定部材で固定されている。
【００２１】
一対の挟圧部材２・２は、動物の手または足を挟圧するためのものであり、半円弧状の板状の部材である。一対の挟圧部材２・２は、その両端付近に細幅の細狭部２ｃ・２ｃを有し、細狭部２ｃ・２ｃの両端部２ａ・２ａが半円弧形状の外側に向けてＬ字型に折曲されている。一対の挟圧部材２・２は、その両端部２ａ・２ａを基板部材１の枢着孔１ｃ・１ｃに、開閉自在に枢着されている。
図１および図３に示す閉状態においては、一対の挟圧部材２・２の対向面２ｂ・２ｂ間が挟圧部Ｒを構成する。一対の挟圧部材２・２の対向面２ｂ・２ｂに、捕獲する動物の手または足等を挟圧する際のクッションとするため、弾性を有する樹脂（例えば、シリコーンゴム等）を設けてもよい。
【００２２】
一対の挟圧部材２・２には対向する凸状の隙間形成部１３が設けられている。一対の挟圧部材２・２が閉状態となった際には、隙間形成部１３・１３が相互に衝接し、対向面２ｂ・２ｂ間に一定の間隙を有する挟圧部Ｒを形成する。挟圧部Ｒの間隙が大きくなるほど動物の手または足に与えるダメージは抑制されるが、反面、動物の手または足が抜けやすくなるため、捕獲する動物に応じて隙間形成部１３の高さを適宜設定することが好ましく、例えば、０．５〜１ｃｍの高さとすることが開示される。
【００２３】
図２および図４に示す開状態において、一対の挟圧部材２・２は円形を構成しており、当該円形の大きさは捕獲対象の動物の手や足が入る大きさとなっている。この円形の直径は、例えば、１０〜３０ｃｍである。開状態においては、挟圧部材２・２は略水平になる。この際、挟圧部材２・２の下端と餌取防止部材３との距離Ｇ１が、動物の手が入らない程度に小さく（例えば、４ｃｍ以下、好ましくは３ｃｍ以下）なるように構成することが好ましい。
【００２４】
餌取防止部材３は、動物が動物捕獲具の下面側（一対の挟圧部材２・２の可動する領域と反対側）から手や足を入れ、挟圧部材２の閉口挟圧動作を回避して餌Ｋを採ることを防ぐためのものであり、板状をなしている。餌取防止部材３は、動物の手や足が入る隙間を生じさせないよう、開状態にある一対の挟圧部材２・２が構成する円形の大部分を占める面積を有し、好ましくは、当該円形の面積の少なくとも７０％以上の面積を有し、より好ましくは、当該円形の面積の少なくとも８０％以上の面積を有し、さらに好ましくは、当該円形の面積の少なくとも９０％以上の面積を有するよう構成する。餌取防止部材３の材質は、餌Ｋが動物捕獲具の下面側から見えないよう、透過視認性を有しない板状体（例えば、金属板や木板）で構成することが好ましい（図７参照）。動物捕獲具を設置するために、餌取防止部材３に釘や紐等で固定するための穴を設けてもよい。
【００２５】
板バネ部材４は、バネ圧力によって一対の挟圧部材２・２を閉口動作させ、挟圧する力を与えるものであり、両端部に挿通孔４ｂ・４ｂを有する略Ｕ字状の板バネ４ａにより構成される。一対の挟圧部材２・２が閉口状態において、一方の挿通孔４ｂに一対の挟圧部材２・２の細狭部２ｃ・２ｃが挿通され、他方の挿通孔４ｂに基板部材１の一方の立上部１ｂが挿通されている。板バネ部材４は、一対の挟圧部材２・２が閉口状態において、板バネ部材４を押圧してたわませることにより、一対の挟圧部材２・２の細狭部２ｃ・２ｃと一方の挿通孔４ｂの内周面４ｃとが離反し、一対の挟圧部材２・２の開口動作が可能となる。板バネ部材４の押圧を解除すると、たわみのバネ圧力により一対の挟圧部材２・２は瞬時に閉口動作し、一対の挟圧部材２・２の対向面２ｂ・２ｂ間の挟圧部Ｒが閉口動作するように構成している。
なお、第一形態例では、板バネ部材４を挟圧部材２・２の一端側のみ設置しているが、挟圧部材２・２の両端部に２個の板バネ部材４を設置して狭圧力を高めてもよい。
【００２６】
係止機構は、餌取付部材５と、湾曲部材６と、ラッチ部材７と、係止部材８とを備えて構成される。
【００２７】
餌取付部材５は、餌Ｋを取り付け、餌Ｋを採ろうとした動物によって引っ張られることにより、ラッチ部材７を動かすためのものであり、例えば、紐状部材や開閉部または引っかけ部を有する金具に紐状部材を取り付けて構成される。餌取付部材５を紐状部材で構成した場合は、先端部分で餌Ｋを縛って使用する（図１〜４参照）。
【００２８】
餌取付部材５の一端は、ラッチ部材７の通し孔７ｃに取り付けられている。餌取付部材５の他端は、湾曲部材６に固設された丸環部６ｂに挿通され、餌Ｋが取り付けられる。餌取付部材５の長さは、餌Ｋを取り付けるために必要な長さが確保されていればよく、例えば、１０〜２０ｃｍである。餌Ｋの取付後の餌取付部材５の長さは、餌Ｋが狭圧部材２・２の外部に出ない長さとする。
【００２９】
湾曲部材６は、基板部材１に交差するように（直交して）取り付けられた「略への字形」の板状部材である。湾曲部材６の一端には係止部材８を回動可能に固定するための係止孔６ｃが形成されている（図３参照）。餌取防止部材３の上面から湾曲部材６の上面までの高さＧ２が一定以下（例えば、３ｃｍ以下、好ましくは２ｃｍ以下）となるように構成することで、捕獲率を向上させることが可能である。すなわち、高さＧ２が小さいことは、動物が餌Ｋを保持した後に手や足を長い距離引き抜かなくては、狭圧部材２・２の閉口動作を回避することができないことを意味する。
【００３０】
ラッチ部材７は、係止部材８を係脱自在とするためのものであり、ラッチ部材７は枢孔７ｂを有し、基板部材１に固設された湾曲部材６の中央部の軸部６ａに枢孔７ｂが枢着され、湾曲部材６の中央部の軸部６ａ周りに回転可能となっている。ラッチ部材７は、凹形状のラッチ部７ａを有している。ラッチ部材７は、通し孔７ｃを湾曲部材６から遠ざけるように上げ、ラッチ部７ａに係止部材８を係合可能な位置（係止位置）と、通し孔７ｃを湾曲部材６に近づけるように下げ、ラッチ部７ａから係止部材８を脱離し係合を解除した位置（開放位置）に回転が可能である。
【００３１】
係止部材８は、ラッチ部材７のラッチ部７ａに係脱することによって、一対の挟圧部材２・２を開状態で係止したり、閉口状態に開放したりするものであり、板状の形状をなしている。係止部材８は、基板部材１に固設された湾曲部材６の端部に形成された係止孔６ｃに挿通された後、その一端を折曲されて折曲部８ｂを形成して係止孔６ｃに枢着され、係止部材８の先端部がラッチ部材７のラッチ部７ａに係脱自在となるように形成される。
【００３２】
係止機構は、次のようにして、一対の挟圧部材２・２を開状態で係止する。図３のように、一対の挟圧部材２・２の開状態（一点鎖線で表示）において、ラッチ部材７を開放位置まで回転させ、係止部材８をラッチ部材７側にある挟圧部材２の対向面２ｂに上から抑えるように当接させる。続いて、図４のように、ラッチ部材７を係止位置にまで回転させると、係止部材８の先端がラッチ部材７のラッチ部７ａに係合される。挟圧部材２は、板バネ部材４のバネ圧力によって上方向（閉口動作する方向）に押し上げる力が加わっているが、ラッチ部材７に係合した係合部材８によって抑えられる。
【００３３】
係止機構は、次のようにして、一対の挟圧部材２・２を閉口状態に開放する。図３のように、餌取付部材５が引っ張られ、ラッチ部材７が開放位置まで回転すると、ラッチ部材７のラッチ部７ａが係合部材８から離脱し係合が解かれる。挟圧部材２は、板バネ部材４のバネ圧力によって係合部材８を押し上げ閉口動作する。
【００３４】
連繋部材９は、上記板バネ部材４と鎖体１０を繋ぐためのものであり、挿通孔９ａを有しており、挿通孔９ａに板バネ部材４の屈曲部が挿通されている。連繋部材９は、鎖体１０の一方端部を連結され、鎖体１０の他方端部には、リング１１が連結され、リング１１に立木、切株等に打ち込み可能な楔部材１２が取り付けられている。
【００３５】
［使用態様］
本実施形態例に係る動物捕獲具は、地面または樹木等に設置される。地面に設置する場合、捕獲した動物が動物捕獲具とともに逃亡しないよう、設置場所付近の立木や切株等に楔部材１２を打ち込んで固定する。樹木に設置する場合は、楔部材１２を木の枝や幹に打ち込むと共に、餌取防止部材３を釘や紐等で木の枝や幹に固定する。このように、地面に置く以外にも、高い所に設置したり立てて設置したりすることができ、動物の捕獲の機会を広げることができる。高い所にでも設置すれば、人が誤って動物捕獲具に触れることを防ぐことができる。
【００３６】
動物捕獲具を捕獲可能な状態にするには、まず、閉状態において、餌取付部材５に餌Ｋを取り付ける。この際、餌Ｋを糊や両面テープ等の弱い粘着力を有する材料で仮留めしてもよい。次いで、板バネ部材４を足踏動作により押圧してたわませ、細狭部２ｃ・２ｃと一方の挿通孔４ｂの内周面４ｃ・４ｃとを離反させ、一対の挟圧部材２・２の開状態とする。次いで、図２および図６に示す如く、一対の挟圧部材２・２の開状態を、係止部材８の先端部をラッチ部材７に係止することにより固定する。
【００３７】
以上に説明した第一実施形態例の動物捕獲具によれば、たとえ樹木等に設置した場合においても、餌取防止部材３があるので、動物は挟圧部材２・２の閉口動作の範囲外から餌Ｋを取ることができない。また、第一実施形態例の餌取防止部材３が透過視認性を有しない板状体からなるので、動物が挟圧部材２・２の閉口動作の範囲外から餌を取ろうとすることを試みることもない。
【００３８】
また、踏板部材を有しないので、挟圧部材の閉口挟圧動作の範囲外に出るまでの距離を長くすることができるので、捕獲の成功率を高めることができる。
【００３９】
［第二実施形態例］
図８を参照しながら、第二実施形態例に係る動物捕獲具を説明する。本実施形態例に係る動物捕獲具の構成は、主として、餌取付部材５が紐状部材５ａと梃子部材５ｂを備えて構成される点で第一実施形態例に係る動物捕獲具の構成と相違する。以下では、相違点を中心に説明し、共通する構成については同一符号を付し、説明を割愛する。
【００４０】
第二実施形態例のラッチ部材７は、梃子部材５ｂが挿着される長孔７ｄを有している。
梃子部材５ｂは、紐状部材５ａが引っ張られる動きを梃子の原理により上下方向の動きに変換し、ラッチ部材７を動かすためのものであり、略円弧状に湾曲した棒状の部材である。
梃子部材５ｂの中央部は、バンド部材１４により湾曲部材６に対し揺動および摺動自在に締結固定されている。
梃子部材５ｂの一方の端部には、留具５ｃが設けられ、留具５ｃはラッチ部材７に設けられた横長の長孔７ｄに摺動自在に嵌合され、梃子部材５ｂの他方の端部には、餌取付部材５が取り付けられる穴５ｄが設けられている。
【００４１】
狭圧部材２・２を開状態とするには、第一実施形態例同様、係止部材８をラッチ部７ａと係合することにより行われる。この時、留具５ｃ側が長孔７ｄの図示左側（係止部材８と反対側）に位置させ、長孔７ｄを有するラッチ部材７の先細り部が上方に持ち上がるように回動させることで、係止部材８の先端部がラッチ部材７に係合される。
【００４２】
狭圧部材２・２の閉口動作は、第一実施形態例と同様、係止部材８とラッチ部７ａの係合を開放することにより行われる。動物が紐状部材５ａに取り付けられた餌Ｋを引っ張ると、梃子部材５ｂが引っ張られ、長孔７ｄを有するラッチ部材７の先細り部が下がり、係止部材８とラッチ部７ａの係合が開放される。
【００４３】
本実施形態例の構成によれば、梃子部材５ｂによりラッチ部材７の上下の動きが実現されるので、餌取付部材５がわずかな力で引っ張られた場合でも、挟圧部材２・２の閉口動作を行うことができる。
【符号の説明】
【００４４】
Ｒ    挟圧部
Ｋ    餌
１    基板部材
２    挟圧部材
３    餌取防止部材
４    板バネ部材
５    餌取付部材
６    湾曲部材
７    ラッチ部材
８    係止部材
９    連結部材
１０    鎖体
１１    リング
１２    楔部材
１３    間隙形成部
１４    バンド部材
【図１】
0003199772.tif 000003
【図２】
0003199772.tif 000004
【図３】
0003199772.tif 000005
【図４】
0003199772.tif 000006
【図５】
0003199772.tif 000007
【図６】
0003199772.tif 000008
【図７】
0003199772.tif 000009
【図８】
0003199772.tif 000010